(57)【特許請求の範囲】
【請求項１】
側パネル、前パネル、側パネル、後パネルを備え、上下両端が開口とされた筒状のスリーブと、
天板、底板、一対の左右側板を、後板から立ち上がるように連接し、前記後板と対向する側が開口とされたトレー状の中舟からなり、
トレー状の中舟の開口側が前パネルと対面するようにトレー状の中舟が筒状のスリーブ内に摺動自在に挿入されるスライド式カートンであって、
前記筒状のスリーブの前記前パネルに下端より所定高さの位置にジッパーで切り取り可能な開口部が形成されており、
前記トレー状の中舟には、前記底板に折線を介して前板および上板が連接され、前記底板と前記上板および前記前板と前記後板が相互に対向するように受け台が形成されており、前記スライド式カートンは、板状の内容物を縦一列に複数個積み重ねて充填して収納するように用いることを特徴とするスライド式カートン。
【請求項２】
前記受け台の前記上板が前記後板から前記前板に向かい下る傾斜面であることを特徴とする請求項１に記載のスライド式カートン。
【請求項３】
前記トレー状の中舟には、前記天板に折線を介して蓋板が連接され、前記蓋板が前記後板と対向するように形成されていることを特徴とする請求項１または請求項２に記載のスライド式カートン。
【発明の詳細な説明】
【技術分野】
【０００１】
本発明は、チョコレート、キャラメル、キャンデー、クッキー等の板状の菓子類を収納する筒状のスリーブと、この筒状のスリーブ内に摺動自在に挿入されるトレー状の中舟（中箱）からなるスライド式カートンに関する。詳しくは、スライド式カートンに収納されたチョコレート、キャラメル、キャンデー、クッキー等の板状の菓子類を販売する際、また収納された菓子類を食する際、筒状に立てた状態で使用される縦型のスライド式カートンに関する。
【背景技術】
【０００２】
従来、チョコレート、キャラメル、キャンデー、クッキー等の菓子類を集合させて収納するカートンとしては、外箱に摺動自在な中箱を挿入したスライド式カートンが多用されている。
【０００３】
上記スライド式カートンは、収納された内容物を取り出す場合、外箱から中箱を引き出して内容物を１つまたは複数取り出すようになっている。また、１つずつ確実に取り出すことができる包装容器として、前後両端が開口した筒状のスリーブとこのスリーブ内に摺動自在に挿入されるトレー状の中箱からなり、中箱の前部には底板に設けた折線のところで下方に折れ曲がる回動部分が設けられ、その回動部分には折線を越えて底板上で後方に延びる阻止板が設けられた構成のスライド式カートンが開示されており、このスライド式カートンは、中箱の回動部分をスリーブから前方に引き出し、折線のところで下方に折り曲げて内容物を取り出すと、回動部分が内容物を１つ載せた状態で折れ曲がると共に、回動部分の折れ曲がりと同時に阻止板が起き上がり、起き上がった阻止板が残った内容物の流出を防止するように作用するため、１つずつ内容物を取り出せるものである（例えば、特許文献１参照）。
【先行技術文献】
【特許文献】
【０００４】
【特許文献１】特開２００９−７３５４９号公報
【発明の概要】
【発明が解決しようとする課題】
【０００５】
上記スライド式カートンは、中箱を外箱から引き出して中箱の開口部より内容物を取り出す構成であり、中箱の開口部が取り出し口となる。したがって、内容物を取り出す都度、中箱を引き出したり、元に戻したりという操作を繰り返す必要があり、面倒なものである。また、特許文献１に記載の発明の包装容器は内容物を１つずつ取り出せる機能を備えており利便性を有しているものの、内容物を取り出す都度、上記操作に加え、中箱の回動部分で回動させる手順が加わり手間がかかるという問題がある。通常、スライド式カートンは、内容物を食する際、内容物をこぼさないために上記操作は水平方向に行われ、また、販売時、外箱が陳列台に接するように横にして陳列される（以下、横型という。）ためにスライド式カートンの高さが低くなり、目立ちにくいという問題や、横型は陳列台に占める面積が広いために陳列効率がわるいという問題がある。
【０００６】
本発明者は、上記問題を解決すべく鋭意研究の結果、発想の転換により、筒状のスリーブの一方の開口の端部と、筒状のスリーブに挿入されたトレー状の中舟の一方の端部が陳列台等に接するように（以下、縦型という。）構成し、スライド式カートンの横型という従来常識を破り、縦型のスライド式カートンを採用することにより解決したものである。
すなわち、本発明の目的とするところは取り出し口を外箱に設け、内容物を１つずつ確実に取り出せる縦型のスライド式カートンを提供することにある。
【課題を解決するための手段】
【０００７】
本発明は、上記課題を達成するために、請求項１記載の本発明は、側パネル、前パネル、側パネル、後パネルを備え、上下両端が開口とされた筒状のスリーブと、天板、底板、一対の左右側板を、後板から立ち上がるように連接し、前記後板と対向する側が開口とされたトレー状の中舟からなり、トレー状の中舟の開口側が前パネルと対面するようにトレー状の中舟が筒状のスリーブ内に摺動自在に挿入されるスライド式カートンであって、前記筒状のスリーブの前記前パネルに下端より所定高さの位置にジッパーで切り取り可能な開口部が形成されており、前記トレー状の中舟には、前記底板に折線を介して前板および上板が連接され、前記底板と前記上板および前記前板と前記後板が相互に対向するように受け台が形成されており、前記スライド式カートンは、板状の内容物を縦一列に複数個積み重ねて充填して収納するように用いることを特徴とするスライド式カートンである。
【０００８】
また、請求項２記載の本発明は、請求項１に記載のスライド式カートンにおいて、前記受け台の前記上板が前記後板から前記前板に向かい下る傾斜面であることを特徴とするものである。
【０００９】
また、請求項３記載の本発明は、請求項１または請求項２に記載のスライド式カートンにおいて、前記トレー状の中舟には、前記天板に折線を介して蓋板が連接され、前記蓋板が前記後板と対向するように形成されていることを特徴とするものである。
【発明の効果】
【００１０】
本発明のスライド式カートンは、側パネル、前パネル、側パネル、後パネルを備え、上下両端が開口とされた筒状のスリーブと、天板、底板、一対の左右側板を、後板から立ち上がるように連接し、前記後板と対向する側が開口とされたトレー状の中舟からなり、トレー状の中舟の開口側が前パネルと対面するようにトレー状の中舟が筒状のスリーブ内に摺動自在に挿入されるスライド式カートンであり、前記トレー状の中舟には、前記底板に折線を介して前板および上板が連接され、前記底板と前記上板および前記前板と前記後板が相互に対向するように受け台が形成されている構成とすることにより、前記中舟の受け台を下にして立てた状態で配置できる縦型のスライド式カートンの形態を備えるので、筒状のスリーブの両端の開口が対向する方向の長さを長くすることにより販売時、陳列台に立てて陳列したとき、横型に比べ高さが高く目立つので陳列効果が大きくなる。また、横型に比べ、陳列台に占める面積が小さくできるので陳列効率がよい。
【００１１】
また、前記筒状のスリーブの前記前パネルに下端より所定高さの位置にジッパーで切り取り可能な開口部が形成されている構成とすることにより、ジッパーで開口部を切り取ることにより取り出し口が形成され、取り出し口よりトレー状の中舟の開口が露出すると共に取り出し口より内容物を１つずつ確実に取り出すことができる。
【００１２】
また、請求項２に記載の本発明は、上記効果に加え、前記受け台の前記上板が前記後板から前記前板に向かい下る傾斜面である構成とすることにより、スライド式カートンに少し衝撃を加える都度、取り出し口より内容物が飛び出し内容物を１つずつ確実に取り出すことができる。しかも、使用者に内容物を取り出す行為の楽しさを与えることができ購買意欲を向上させるものである。
【００１３】
また、請求項３に記載の本発明は上記効果に加え、前記トレー状の中舟には、前記天板に折線を介して蓋板が連接され、前記蓋板が前記後板と対向するように形成されている構成とすることにより、使用者が、食することを終えた後、中舟を上方に少し引き出すことにより、中舟の受け台の前板で取り出し口が覆われ、筒状のスリーブより上方に引き出された中舟は蓋板が露出し、中舟の開口は筒状のスリーブの前パネルで覆われた状態となるので塵等の異物が入ることがなく衛生的である。
【図面の簡単な説明】
【００１４】
【図１】本発明に係るスライド式カートンの構成部材である筒状のスリーブとトレー状の中舟を分離した状態で示す斜視図である。
【図２】本発明に係るスライド式カートンの筒状のスリーブのブランクを示す展開図である。
【図３】本発明に係るスライド式カートンのトレー状の中舟のブランクを示す展開図である。
【図４】本発明に係るスライド式カートンの内容物を取り出した状態を説明する斜視図である。
【図５】図４におけるＡ−Ａ方向の縦断面図である。
【発明を実施するための形態】
【００１５】
上記の本発明について、図面等を用いて以下に詳述する。
図１は本発明に係るスライド式カートンの構成部材である筒状のスリーブとトレー状の中舟を分離した状態で示す斜視図、図２は本発明に係るスライド式カートンの筒状のスリーブのブランクを示す展開図、図３は本発明に係るスライド式カートンのトレー状の中舟のブランクを示す展開図、図４は本発明に係るスライド式カートンの内容物を取り出した状態を説明する斜視図、図５は図４におけるＡ−Ａ方向の縦断面図であり、図中の１０、１０’はスライド式カートン、２０は筒状のスリーブ、２１は糊代片、２２は側パネル、２３前パネル、２４は側パネル、２５は後パネル、２６はジッパー、２６１、２６２、２６３、２６４は破断線、２７は開口部、２８は突片、３０はトレー状の中舟、３１は天板、３２は底板、３３は左側板、３４は右側板、３３ａ、３３ｂ、３４ａ、３４ｂはフラップ、３３ｃ、３４ｃは小片、３３ｄ、３４ｄは折り込み小片、３３ｓ、３４ｓは切込、３５は後板、３６は前板、３７は上板、３８は糊代片、３９は切線、４０は蓋板、４１は蓋側板、４２は延長蓋板、５０は蓋部、６０は受け台、７０は取り出し口、Ｎは内容物、Ｓはストッパー、ａ〜ｕは折線をそれぞれ示す。
【００１６】
図１は本発明に係るスライド式カートンの構成部材である筒状のスリーブ２０とトレー状の中舟３０を分離した状態で示す斜視図である。本発明のスライド式カートン１０は、上下両端が開口とされた筒状のスリーブ２０とトレー状の中舟３０からなり、トレー状の中舟３０が筒状のスリーブ１０内に摺動自在に挿入される。なお、図１は従来のスライド式カートンのように横型で示したが、本発明のスライド式カートン１０は、図１の左側を上、右側を下として立てて使用する縦型スライド式カートンである。また、本願において、トレー状の中箱を中舟と称することとする。
【００１７】
図１、図２に示すように筒状のスリーブ２０は、折線を介して、糊代片２１、側パネル２２、前パネル２３、側パネル２４、後パネル２５が順に連接され、両縁部となる後パネル２５の内面と糊代片２１の外面を貼り合わせ四角柱状となし、その上下両端が開口された筒状に構成されており、筒状のスリーブ２０の前パネル２３に下端より所定高さの位置にジッパー２６で切り取り可能な開口部２７が形成されている。ジッパー２６は略Ｌ字状の切目からなる破断線２６１、２６２が前パネル２３を横断するように上下に並行に形成されており、破断線２６１、２６２の右端側には破断線２６１、２６２の上下間の間隔の長さで直線状の切目からなる破断線２６３が折線ｃの上に形成され、破断線２６１、２６２の左端側には破断線２６１、２６２の左端近傍に連結するようにコの字状切目からなる破断線２６４が形成されている。なお、破断線２６１、２６２はミシン目からなる切目線とすることもできるが略Ｌ字状の切目の方が、切り取り性が向上するので好ましい。
【００１８】
図２は本発明に係るスライド式カートン１０の筒状のスリーブ２０のブランクを示す展開図である。筒状のスリーブ２０を形成するブランクは、折線ａ、ｂ、ｃ、ｄを介して、糊代片２１、側パネル２２、前パネル２３、側パネル２４、後パネル２５が順に連接されてなり、各パネルは上下に細長い長方形状である。破断線２６１、２６２、２６３、２６４からなるジッパー２６で囲まれた領域が開口部２７を形成する。コの字状切目からなる破断線２６４は少し側パネル２２側にはみ出して形成されている。破断線２６４は前パネル２３内でもよいが少し側パネル２２側にはみ出すように形成する方が好ましい。
【００１９】
筒状のスリーブ２０のブランクは既存のサックマシンを用いて例えば折線ｂおよび折線ｄで内側に折り曲げられ、糊代片２１の外面に後パネル２５の右縁部の内面を重ねてエマルジョン接着剤等の接着剤を用いて貼り合わせられ、折り畳まれた筒状のスリーブの状態で製函される。その後、折り畳まれた筒状のスリーブを起函させ筒状のスリーブ２０が組み立てられる。起函させ筒状のスリーブ２０に組み立てた際、コの字状切目からなる破断線２６４は少し側パネル２２側にはみ出して形成されているので当該部分が折線ｂより外方に少し突出した状態の突片２８（図１参照）が形成される。突片２８は開口部２７をジッパー２６より破断して取り出し口７０（図４参照）を形成する際、破断開始のきっかけとして摘まみやすくなるので好ましい形態である。
【００２０】
図３は本発明に係るスライド式カートン１０のトレー状の中舟３０のブランクを示す展開図である。図３に示すようにトレー状の中舟３０を形成するブランクは、長方形状の後板３５に折線ｅ、ｆ、ｇ、ｈを介して、天板３１、底板３２、左側板３３、右側板３４が連接されている。さらに、底板３２には折線ｉ、ｊ、ｋを介して前板３６、上板３７、糊代片３８が連接されており、上板３７は左右の幅が底板３２、前板３６の幅より少し狭幅とされている。また、天板３１には折線ｌ、ｍ、ｎを介して、蓋板４０、蓋側板４１、延長蓋板４２が順に連接されおり、蓋側板４１の左右の幅が天板３１、蓋板４０の幅より少し狭幅とされている。一対の左側板３３及び右側板３４の上下両端には折線ｏ、ｐ及び折線ｑ、ｒを介してフラップ３３ａ、３３ｂ及びフラップ３４ａ、３４ｂがそれぞれ連接されている。左側板３３及び右側板３４の下部には折線ｓ、ｔを介して小片３３ｃ、３４ｃが左方向、右方向にそれぞれ延設されている。さらに、左側板３３、右側板３４の下部には左右端辺より内方に向かい下る方向に傾斜した切線３９がそれぞれ形成されている。切線３９は左側板３３、右側板３４の左右端辺より左側板３３、右側板３４の左右の長さの１／４〜３／４の位置に至るように形成するのが好ましい。また、切線３９の折線ｇ、ｈ側の先端と、小片３３ｃ、３４ｃの上辺と左側板３３、右側板３４の端辺の交点と、を結ぶ折線ｕが左側板３３、右側板３４の下部にそれぞれ形成され、折線ｕで折り込み可能な三角形の折り込み小片３３ｄ、３４ｄがそれぞれ形成されている。
【００２１】
また、フラップ３３ａ、３４ａの折線ｏ、ｑの位置にコの字状切目からなる切込３３ｓ、３４ｓが、左側板３３、右側板３４側に少しはみ出して形成されている。切込３３ｓ、３４ｓは、トレー状の中舟３０に組み立てた際、左側板３３、右側板３４側に少しはみ出して形成されているので当該部分が折線ｏ、ｑで折り曲げたとき、折線ｏ、ｑより外方に少し突出した状態のストッパーＳがそれぞれ形成される。ストッパーＳは、筒状のスリーブ２０内にトレー状の中舟３０を底板３２側から挿入したとき、筒状のスリーブ２０の上端に当接しトレー状の中舟３０を係止させるストッパーとなるものである。
【００２２】
図３に示すトレー状の中舟３０を形成するブランクは、後板３５の折線ｇ、ｈ、ｅ、ｆをそれぞれ折ることにより左側板３３、右側板３４、天板３１、底板３２を立ち上げると共に左側板３３のフラップ３３ａ、３３ｂを折線ｏ、ｐで内側に折り天板３１の内面及び底板３２の内面に当接させ、同様に右側板３４のフラップ３４ａ、３４ｂを折線ｑ、ｒで内側に折り天板３１の内面及び底３２の内面に当接させ、天板３１については、蓋板４０、蓋側板４１を折線ｌ、ｍで内側に折り、延長蓋板４２を折線ｎで外側に折り延長蓋板４２の内面を後板３５の内面に当接させ蓋部５０（図１参照）を形成する。蓋部５０は、天板３１に折線ｌを介して蓋板４０が連接され、蓋板４０が後板３５と対向し、天板３１が蓋側板４１と対向するように形成された構成である。延長蓋板４２は接着剤で後板３５に接着することもできる。
【００２３】
底板３２については、まず、左側板３３、右側板３４の小片３３ｃ、３４ｃを折線ｓ、ｔで内側に折り、折り込み小片３３ｄ、３４ｄを折線ｕで内側に折り、つぎに前板３６を折線ｉで内側に折り、小片３３ｃ、３４ｃの外面に当接させ、さらに上板３７を折線ｊで内側に折り、折り込み小片３３ｄ、３４ｄの外面に当接させ、糊代片３８を折線ｋで外側に折り、エマルジョン接着剤等で後板３５に貼着し、受け台６０を形成することにより、図１に示すトレー状の中舟３０が組み立てられる。受け台６０は、底板３２と上板３７および前板３６と後板３５が相互に対向する構成である。図３において底板３２の上下寸法より上板３７の上下寸法を長くすることにより、図１に示すように受け台６０の上板３７が後板３５から前板３６に向かい下る傾斜面とすることができる。なお、上板３７は水平面ないし傾斜面にできるものであるが、傾斜面とする方がスリーブ式カートンに少し振動等を与えることにより内容物を容易に１つずつ取り出せるので好ましい。傾斜面は内容物の種類、大きさ、重さ、内装紙等を勘案して適宜決めればよい。また、小片３３ｃ、３４ｃおよび折り込み小片３３ｄ、３４ｄは設ける方が受け台６０の強度が補強されるので好ましい。
【００２４】
製函され折り畳まれた筒状のスリーブを起函させ、図１に示す筒状のスリーブ２０とし、図１に示す組み立てられたトレー状の中舟３０を、受け台６０の傾斜面とされた上板３７および前板３６が開口部２７側に対応するように挿入しトレー状の中舟３０のストッパーＳが筒状のスリーブ２０の上端に当接し係止することによりスライド式カートン１０が完成する。スライド式カートン１０は筒状のスリーブ２０の下端とトレー状の中舟３０の底板３２を下にし、筒状のスリーブ２０の上端とトレー状の中舟３０の天板３１を上にして立てた状態（縦型）で陳列台等に配置して使用される。したがって、図４、図５に示すように本発明に係るスライド式カートン１０のトレー状の中舟３０の開口は前を向いており前パネル２３と向き合う状態である。また、スライド式カートン１０は縦型なので販売時、陳列台に立てて並べることができ、横型に比べ高さが高くなり目立つので大きな陳列効果が得られる。また、立てて陳列できるので陳列台に占める面積が小さくでき、同じスペースに多く配置でき、販売効率がよい。
【００２５】
つぎに、図１、図４、図５を参照しながら本発明のスライド式カートン１０の使用方法について説明する。図４、図５にはトレー状の中舟３０に板状のチョコレートをアルミラミネート紙等の内装紙で角折り包装した内容物Ｎを縦一列に複数個積み重ねて充填されている例を示すものである。使用者は、まず、筒状のスリーブ２０の突片２８を摘みジッパー２６に沿って前パネル２３を切り取り開口部２７を取り除くと、取り出し口７０が形成される。つぎに取り出し口７０が形成されたスライド式カートン１０’の底板３２側を台に当てて上下に１ないし数回叩くとその振動により内容物Ｎが取り出し口７０より１つ飛び出してくる。使用者はその操作に興味を抱くので販促効果を高めることになる。なお、取り出し口７０と対向する側の後パネル２５の部分を指で弾いて振動を加えても内容物Ｎが取り出し口７０より飛び出してくるのでいずれの方法でもよい。
【００２６】
受け台６０の高さは適宜設定すればよいものであるが、取り出し口７０の上下方向の長さより少し高く（長く）する方がよい。高さは前板３６の上下方向の長さで決定される。取り出し口７０の上下方向の長さは内容物Ｎの高さにより決めればよく、内容物Ｎの１個分の高さより大きく２個分の高さより小さくするのがよい。取り出し口７０の上下方向の長さは破断線２６１と破断線２６２の上下の間隔により決定される。取り出し口７０の位置は取り出し口の下端が受け台６０の前板３６と上板３７とで形成された稜線と同じ位置または少し下側になるように設けることが好ましい。具体的には、前板３６と上板３７を連接する折線ｊと破断線２６２の位置が組み立ててスライド式カートン１０が完成したときに一致するか、または破断線２６２が折線ｊより少し下側になるように設定すればよい。
【００２７】
内容物Ｎを取り出した後、取り出し口７０を閉める場合、トレー状の中舟３０を上方向に引き上げると取り出し口７０は受け台６０の前板３６で覆われる。このように受け台６０の前板３６の上下方向の長さを取り出し口７０の上下方向の長さより少し長く設定することにより上記機能が果たせるものとなる。一方、上部は蓋部５０の蓋板４０が露出するがトレー状の中舟３０の開口は露出することがなく前パネル２３で覆われた状態となる。なお、蓋部５０は必ずしも設けなくてもよいが、蓋部５０を設けた方がトレー状の中舟３０の開口が露出することがないので異物等の混入防止となり衛生的である。
【００２８】
本発明のスライド式カートン１０を構成する筒状のスリーブ２０およびトレー状の中舟３０の材質は、限定されないが、コートボール、ノーコートボール、カード紙、アイボリー、クラフトボール等のコート紙、ノーコート紙等の板紙が使用できる。坪量としては２３０ｇ／ｍ2  〜４５０ｇ／ｍ2 である。
【００２９】
なお、一実施形態では内容物としてアルミラミネート紙で包装された板状のチョコレートを例示したが、内容物としてはチョコレート以外に、キャラメル、キャンデー、クッキー等の板状の菓子類にも適用できるものであり、これらを縦一列に積み重ねて収納し、収納した内容物を連続して取り出せる商品のスライド式カートンとして好適に用いられる。
【実施例】
【００３０】
つぎに実施例を挙げて説明する。
〔実施例１〕
筒状のスリーブ２０、トレー状の中舟３０にコートボールを使用し、外寸が幅４１．５ｍｍ×奥行２２ｍｍ×高さ（上下長さ）１２６ｍｍの図１に示す直方体状のスライド式カートン１０を作製した。筒状のスリーブ２０、トレー状の中舟３０のブランクは図２、図３に示す展開図の形状とした。
【００３１】
実施例１で作製したスライド式カートンにアルミラミネート紙で包装された大きさが幅３７ｍｍ×奥行１８ｍｍ×高さ８ｍｍの市販の板状のチョコレート（株式会社ロッテ  ガーナミルクチョコレート）１２枚をチョコレートの高さ方向に縦一列に重ねて充填し、上記使用方法で開封し、台上に底板を２ｃｍ高さより３回落下させたところ、最下段のチョコレートが取り出し口から飛び出し取り出すことができた。
【符号の説明】
【００３２】
１０、１０’                      スライド式カートン
２０                              筒状のスリーブ
２１                              糊代片
２２                              側パネル
２３                              前パネル
２４                              側パネル
２５                              後パネル
２６                              ジッパー
２６１、２６２、２６３、２６４    破断線
２７                              開口部
２８                              突片
３０                              トレー状の中舟
３１                              天板
３２                              底板
３３                              左側板
３４                              右側板
３３ａ、３３ｂ、３４ａ、３４ｂ    フラップ
３３ｃ、３４ｃ                    小片
３３ｄ、３４ｄ                    折り込み小片
３３ｓ、３４ｓ                    切込
３５                              後板
３６                              前板
３７                              上板
３８                              糊代片
３９                              切線
４０                              蓋板
４１                              蓋側板
４２                              延長蓋板
５０                              蓋部
６０                              受け台
７０                              取り出し口
Ｎ                                内容物
Ｓ                                ストッパー
ａ，ｂ，ｃ，ｄ，ｅ，ｆ，ｇ        折線
ｈ，ｉ，ｊ，ｋ，ｌ，ｍ，ｎ        折線
ｏ，ｐ，ｑ，ｒ，ｓ，ｔ，ｕ        折線
【図１】
0006379885.tif 000002
【図２】
0006379885.tif 000003
【図３】
0006379885.tif 000004
【図４】
0006379885.tif 000005
【図５】
0006379885.tif 000006